(57)【要約】【課題】電源が供給されていない夜間等においても、開閉扉またはおよび遊技盤本体の不正閉鎖を検知する。【解決手段】  外枠１０１および該外枠１０１に対して開閉自在に配設された開閉扉９および遊技盤本体２００を備えた遊技機において、前記開閉扉９またはおよび遊技盤本体２００の閉鎖動作に連動して動く移動部材２１１および２１２と、前記移動部材の位置を検出して定位置にあるのか、移動した位置にあるのかを検出する位置検出センサー２２１および２２２と、前記位置検出センサーの出力に基づき前記開閉扉９またはおよび遊技盤本体２００の閉鎖を判定する判定回路とを備えたことを特徴とする遊技機。備える遊技機。【選択図】図２
2010029330.tif 000002
【特許請求の範囲】
【請求項１】
外枠および該外枠に対して開閉自在に配設された開閉扉および遊技盤本体を備えた遊技機において、
前記開閉扉またはおよび遊技盤本体の閉鎖動作に連動して動く移動部材と、
前記移動部材の位置を検出して定位置にあるのか、移動した位置にあるのかを検出する位置検出センサーと、
前記位置検出センサーの出力に基づき前記開閉扉またはおよび遊技盤本体の閉鎖を判定する判定回路とを備えた
ことを特徴とする遊技機。
【請求項２】
請求項１において
前記開閉扉またはおよび遊技盤本体に配設され、前記開閉扉またはおよび遊技盤本体の閉鎖動作に伴い前記開閉扉またはおよび遊技盤本体に押圧されることにより、前記移動部材内において相対的に移動する相対移動部材を備えた
ことを特徴とする遊技機。
【請求項３】
請求項１において
前記開閉扉またはおよび遊技盤本体に配設され、前記開閉扉またはおよび遊技盤本体が閉鎖状態においては前記移動部材の一部に当接して押圧しており、前記開閉扉またはおよび遊技盤本体が開放されると前記開閉扉またはおよび遊技盤本体の押圧が解除され、前記移動部材が移動する
ことを特徴とする遊技機。
【請求項４】
請求項１において
前記移動部材が、前記開閉扉またはおよび遊技盤本体に配設された相対的に移動可能な複数の移動部材によって構成されている
ことを特徴とする遊技機。
【請求項５】
請求項１において
前記移動部材が、前記開閉扉またはおよび遊技盤本体の開放動作にともない共に移動する第１および第２の移動部材より成り、前記一方の移動部材は、前記開閉扉またはおよび遊技盤本体が閉鎖されるとそれに応じて移動するように構成されている
ことを特徴とする遊技機。
【発明の詳細な説明】
【技術分野】
【０００１】
本発明は、外枠および該外枠に対して開閉自在に配設された開閉扉および遊技盤本体を備えた遊技機において、夜間における前記開閉扉またはおよび遊技盤本体の不正閉鎖を検知する遊技機に関するものである。
【背景技術】
【０００２】
従来の第１の遊技機においては、図25に示されるように開閉自在の前面扉が上扉および下扉に分割された筐体を備え、下扉の裏面側上部に移動部材Ｉが設けられ、変更許可ボタンセンサから許可信号が出力されていない時において、設定変更操作が不正に行われた時にはソレノイドＳＬにより前記移動部材Ｉを移動させて、下扉の閉動作を阻止するものであった。
【特許文献１】特開２００７−１１７４１８
【０００３】
また従来の第２の遊技機においては、図26に示されるように扉が開放されると、レールＲに移動可能に取り付けられた扉開放センサＳが駆動部によってレールＲに沿って移動されることにより、扉の開放を検知するものであった。
【特許文献２】特開２００６−１４９４８５
【発明の開示】
【発明が解決しようとする課題】
【０００４】
しかしながら、上記従来の第１の遊技機においては、昼間の開店時間内において、変更許可ボタンセンサから許可信号が出力されていない時に設定変更操作が不正に行われた時にはソレノイドＳＬにより前記移動部材Ｉを移動させて、下扉の閉動作を阻止するものであり、電源供給のない夜間における前記開閉扉またはおよび遊技盤本体の不正開閉を検知することは出来ないという問題があった。
【０００５】
また従来の第２の遊技機においては、昼間の開店時間内において、扉が開放されると、レールＲに移動可能に取り付けられた扉開放センサＳが駆動部によってレールＲに沿って移動されることにより、扉の開放を検知するものであり、駆動部への電源供給のない夜間における前記開閉扉またはおよび遊技盤本体の不正開閉を検知することは出来ないという問題があった。
【０００６】
そこで本発明者は、外枠および該外枠に対して開閉自在に配設された開閉扉および遊技盤本体を備えた遊技機において、夜間における前記開閉扉またはおよび遊技盤本体の閉鎖動作に連動して動く移動部材の位置を、翌朝電源投入がされた後、位置検出センサーによって、定位置にあるのか、移動した位置にあるのかを検出して、前記位置検出センサーの出力に基づき判定回路により前記開閉扉またはおよび遊技盤本体の閉鎖を判定するという本願発明の第１の基本的な技術的思想に着眼した。
【０００７】
さらに本発明者は、上述の着眼した基本的な技術的思想に基づき、研究開発を重ねた結果、夜間における前記開閉扉またはおよび遊技盤本体の不正閉鎖を検知するという目的を達成する本発明に到達した。
【課題を解決するための手段】
【０００８】
本発明（請求項１に記載の第１発明）の遊技機は、
外枠および該外枠に対して開閉自在に配設された開閉扉および遊技盤本体を備えた遊技機において、
前記開閉扉またはおよび遊技盤本体の閉鎖動作に連動して動く移動部材と、
前記移動部材の位置を検出して定位置にあるのか、移動した位置にあるのかを検出する位置検出センサーと、
前記位置検出センサーの出力に基づき前記開閉扉またはおよび遊技盤本体の閉鎖を判定する判定回路とを備えた
ものである。
【０００９】
本発明（請求項２に記載の第２発明）の遊技機は、
前記第１発明において
前記開閉扉またはおよび遊技盤本体に配設され、前記開閉扉またはおよび遊技盤本体の閉鎖動作に伴い前記開閉扉またはおよび遊技盤本体に押圧されることにより、前記移動部材内において相対的に移動する相対移動部材を備えた
ものである。
【００１０】
本発明（請求項３に記載の第３発明）の遊技機は、
前記第１発明において
前記開閉扉またはおよび遊技盤本体に配設され、前記開閉扉またはおよび遊技盤本体が閉鎖状態においては前記移動部材の一部に当接して押圧しており、前記開閉扉またはおよび遊技盤本体が開放されると前記開閉扉またはおよび遊技盤本体の押圧が解除され、前記移動部材が移動する
ものである。
【００１１】
本発明（請求項４に記載の第４発明）の遊技機は、
前記第１発明において
前記移動部材が、前記開閉扉またはおよび遊技盤本体に配設された相対的に移動可能な複数の移動部材によって構成されている
ものである。
【００１２】
本発明（請求項５に記載の第５発明）の遊技機は、おいて
前記移動部材が、前記開閉扉またはおよび遊技盤本体の開放動作にともない共に移動する第１および第２の移動部材より成り、前記一方の移動部材は、前記開閉扉またはおよび遊技盤本体が閉鎖されるとそれに応じて移動するように構成されている
ものである。
【発明の効果】
【００１３】
上記構成より成る第１発明の遊技機は、外枠および該外枠に対して開閉自在に配設された開閉扉および遊技盤本体を備えた遊技機において、前記位置検出センサーにより前記開閉扉またはおよび遊技盤本体の閉鎖動作に連動して移動する前記移動部材の位置が定位置にあるのか、移動した位置にあるのかを検出し、前記判定回路により前記位置検出センサーの出力に基づき前記開閉扉またはおよび遊技盤本体の閉鎖動作があったことを判定することによって、夜間における前記開閉扉の不正閉鎖を精確に検知するという効果を奏する。
【００１４】
上記構成より成る第２発明の遊技機は、前記第１発明において、前記開閉扉またはおよび遊技盤本体に配設され、前記開閉扉またはおよび遊技盤本体の閉鎖動作に伴い前記移動部材内において前記相対移動部材が相対的に移動するので、前記開閉扉またはおよび遊技盤本体の閉鎖動作に伴う前記相対移動部材の移動を検出することにより、夜間における前記開閉扉の不正閉鎖を確実かつ精確に検知するという効果を奏する。
【００１５】
上記構成より成る第３発明の遊技機は、前記第１発明において、前記開閉扉またはおよび遊技盤本体に配設され、前記開閉扉またはおよび遊技盤本体が閉鎖状態においては前記移動部材の一端に当接して押圧しており、前記開閉扉が開放されると前記開閉扉の押圧が解除され前記移動部材が移動するので、追加部品を必要とせず安価に夜間における前記開閉扉の不正閉鎖を精確に検知するという効果を奏する。
【００１６】
上記構成より成る第４発明の遊技機は、前記第１発明において、夜間の前記開閉扉またはおよび遊技盤本体の閉鎖動作に伴い相対的に移動可能な複数の移動部材が移動するので、前記複数の移動部材の相対的な移動を前記位置検出センサーによって検知するため、夜間における前記遊技盤本体の不正閉鎖を確実かつ精確に検知するという効果を奏する。
【００１７】
上記構成より成る第５発明の遊技機は、前記第１発明において、夜間前記開閉扉またはおよび遊技盤本体が開放されると前記第１および第２の移動部材が移動し、再び前記開閉扉またはおよび遊技盤本体が閉鎖されると一方の移動部材が移動するので、前記一方の移動部材の移動位置を検出して判定することにより、前記遊技盤本体の不正閉鎖を精確に検知するという効果を奏する。
【発明を実施するための最良の形態】
【００１８】
以下本発明の最良の実施の形態につき実施例に基づき、図面を用いて説明する。
【実施例１】
【００１９】
本第１実施例のパチンコ遊技機は、図１ないし図１１に示されるように外枠１０１と、前記外枠１０１に対してヒンジ部１０２に支持され揺動自在に付設された開閉扉９および遊技盤本体２００と、鍵のロック機構５０を備えたパチンコ遊技機において、前記第１の移動部材２１１および第２の移動部材２１２と、第２の移動部材２１２の位置を検出するための位置検出センサーと、前記遊技盤本体２００の開放動作に応じて移動した前記第１の移動部材２１１の位置を復帰させる復帰駆動手段２０３と、前記遊技盤本体２００の開閉を検知する扉開閉検知手段４と、前記開閉扉９に配設された鍵のロック機構５０の開施錠を検知して、前記復帰駆動手段２０３に駆動指令を出力するための遊技盤本体２００の鍵のロック位置検出センサー５と、前記遊技盤本体２００の電子ロック機構６と、電子ロック機構６のロック状態を検知する電子ロック検知手段７と、これらの検出センサーおよび検知手段からの入力情報に応じて営業時間中の正当な遊技盤本体２００の閉鎖かまたは営業時間外の不正な遊技盤本体２００の閉鎖かを判定する判定回路とを備えている。
【００２０】
なお、移動機構（移動部材）は、図２ないし図５に示されるように前記遊技盤本体２００に配設され、遊技盤本体２００の閉鎖動作に連動して移動し、前記遊技盤本体２００の開放動作に応じて移動する第１の移動部材２１１と、前記遊技盤本体２００の閉鎖動作に応じて移動する第２の移動部材２１２とから成る。
【００２１】
前記移動機構は、図２ないし図５に示されるように、前記開閉扉９および遊技盤本体２００を揺動自在に支持する前記ヒンジ部１０２側の遊技盤本体２００の円筒状凹部に前記枠体１０１の内側壁に対向して介挿されている。
【００２２】
前記第１の移動部材２１１は、位置検出センサー用の貫通孔２１１２および第２の移動部材２１２を係止するための内方に突出したフランジ部２１１３が形成された径の大きな中空筒状の大径部２１１１と、右端２１１４を付勢手段としてのコイルスプリング２１１５が図中左方に付勢する径の小さな中実筒状の小径部２１１６とから成る略Ｙ字状の部材より成る。
【００２３】
前記第２の移動部材２１２は、前記遊技盤本体２００および前記第１の移動部材２１１の円筒状凹部内に介挿される有底中空円筒状の先端部２１２１と、前記フランジ部２１１３と係合する係止部２１２２と、前記先端部２１２１と係止部２１２２とを連結するとともに、位置検出センサー用の孔２１２５が形成された連結部２１２３と、前記先端部２１２１の内底面と前記第１の移動部材２１１のフランジ部２１１３との間に介挿され、前記先端部２１２１を図中左方に突出させる付勢手段としてのコイルスプリング２１２４とから成る略Ｔ字状の部材より成る。
【００２４】
係止部材２１３が、前記遊技盤本体２００の円筒状凹部に半径方向に穿設された穴部に、半径方向内方に付勢する付勢手段としてのコイルスプリング２１３１とともに介挿され、前記第１の移動部材２１１が、前記遊技盤本体２００が開放され前記遊技盤本体２００の円筒状凹部内において図中左端位置まで前記大径部２１１１が移動した時、突出して前記大径部２１１１のコーナー部に係合して係止されるように構成されている。
【００２５】
前記第２の移動部材２１２は、その前記コイルスプリング２１２４のバネ定数が、前記遊技盤本体２００が開放された後再び閉鎖された時前記先端部２１２１を介して前記コイルスプリング２１２４は圧縮されるが、前記コイルスプリング２１３１の付勢力により前記大径部２１１１のコーナー部に係合して係止している前記係止部材２１３の係止関係を解除しないように設定されており、前記遊技盤本体２００の閉鎖に伴い前記第１の移動部材２１１を移動させることなく、前記第２の移動部材２１２のみを独立して相対的に移動させて後退するように構成されている。
【００２６】
前記位置検出センサーは、図２ないし図５に示されるように前記遊技盤本体２００の前後方向において前記遊技盤本体２００と一定距離離して配設されたフォトセンサー発光部２２１、前記フォトセンサー発光部２２１より導かれた光を感知するフォトセンサー受光部２２２とにより構成されている。
【００２７】
また、前記位置検出センサーは、図２ないし図５に示されるように前記遊技盤本体２００の前記枠体１０１に当接するｄ１の位置に対して前記遊技盤本体２００の左右方向におけるｄ２の位置に配設され、図３に示されるように前記遊技盤本体２００の開放動作に伴い前記第１の移動部材２１１の前記貫通孔２１１２が左右方向におけるｄ２の位置に移動し、図４に示されるように前記遊技盤本体２００の閉鎖動作に伴い前記第２の移動部材２１２の前記連結部２１２３の貫通孔２１２５が左右方向におけるｄ２の位置に移動することにより前記貫通孔２１１２および貫通孔２１２５を介して前記フォトセンサー発光部２２１より導かれた光を前記フォトセンサー受光部２２２が感知することにより、前記遊技盤本体２００の閉鎖が検知される。
【００２８】
前記復帰駆動手段２０３は、図２ないし図５に示されるように前記遊技盤本体２００の左右方向において前記第１の移動部材２１１に対して一定距離離して配設され、前記第１の移動部材２１１および前記第２の移動部材２１２の駆動源となる閉店前に電源が投入された後、営業時間外の不正な遊技盤本体２００の閉鎖および制御基板の不正改造が行われたと判定回路により判定されると駆動されるソレノイド２３１により構成されている。
【００２９】
前記扉開閉検知手段４は、図７および図８に示されるように前記外枠１０１の前記ヒンジ部１０２が配設された枠体側面とは反対側の側面に接合部材４１および４２により備えつけられ、遊技盤本体２００が閉鎖された際に閉鎖状態を安定維持させるための磁石のような磁気を帯びた平行に配設された２個の部材４３と、前記遊技盤本体２００が閉鎖された際に前記遊技盤本体２００に押圧され後方に退避するローラ状部材４４と、一端４５１が固着され、他端に前記ローラ状部材４４を回転自在に支持するためのピン部材４５２の両端を支持する支持部４５３を有し前記ローラ状部材４４に連動して動くバネ材よりなる薄板状の揺動部材４５と、前記遊技盤本体２００が閉鎖状態となり前記揺動部材４５が後方に押圧されると前記支持部４５３背面と当接する接点部材４５４とから成り、前記遊技盤本体２００の閉鎖状態を検知する押圧検知センサー４６とにより構成され、昼間の電源投入時において前記遊技盤本体２００が開放された際に照明の点滅または音声等で報知することにより不正開閉を抑制するためとしても用いられる。
【００３０】
鍵のロック機構５０は、図６に示されるように前記開閉扉９の前記ヒンジ部１０２と逆側（開放端側）に配設された鍵操作部５４と、前記開閉扉９および遊技盤本体２００に回転自在に支持され、前記鍵操作部５４の回転動作に応じて一体的に回転する円柱上の回転軸５５と、前記回転軸５５に固着された矩形部材によって構成され前記鍵操作部５４の操作による回転動作に連動して前記回転軸５５を介して一体的に回転し前記枠体１０１と係合してロックする係合部材５６とから成る。
【００３１】
前記開閉扉９の鍵のロック位置検出センサー５は、図６に示されるように前記枠体１０１の後方、前記開閉扉９のヒンジ部１０２と逆側に前記係合部材５６と一定距離離して対向配設され、一端が固着されたバネ材より成る薄板矩形状の揺動部材５２と、前記揺動部材５２の他端に回転自在に配設されたローラ状部材５１とから成り、図６（ｂ）に示されるように前記鍵操作部５４によって施錠動作された際に前記係合部材５６の先端部との接触によりローラ状部材５１が押圧され右方に退避するので、前記ローラ状部材５１を一端に支持する前記揺動部材５２が他端を中心として図中反時計方向に揺動するので、前記遊技盤本体２００の鍵が開いている状態においては図６（ａ）に示されるように図中右方に突出して、前記揺動部材５２と非接触の接点部材５３が揺動してきた前記揺動部材５２に接触して図中左方へ押圧され、前記遊技盤本体２００が施錠されたことを検知するように構成されている。
【００３２】
前記遊技盤本体２００の電子ロック機構６は、図９および図１０に示されるように前記枠体１０１の後方、前記遊技盤本体２００の前記ヒンジ部１０２と逆側のコーナー部６０に突設され、図中左右方向に移動自在に形成された円柱状の第１の往復部材６１と、前記第１の往復部材６１の駆動源となるソレノイド６２を内蔵するケース部材６３と、前記第１の往復部材６１を手動で左右方向に操作するための手動操作部６４と、前記第１の往復部材６１と上下方向に延在形成された連結部６５を介して連結された図中左右方向に往復自在に延在形成された第２の往復部材としての円柱状のロック棒６８と、前記枠体１０１の後方に固定形成され前記円柱状のロック棒６８の左右方向の動きを誘導する穴部６９を有する前記枠体１０１に固定された固定部材７０と、前記遊技盤本体２００の後方に固定形成され図１０（ｂ）に示されるように前記円柱状のロック棒６８が図中右方に誘導された際に該円柱状のロック棒６８を収納可能な穴部７１を有した前記遊技盤本体２００に固定配設された第２の固定部材７２とにより構成される。
【００３３】
前記電子ロック機構６のロック状態を検知する電子ロック検知手段７は、図９および図１０に示されるように前記枠体１０１の後方、前記遊技盤本体２００のヒンジ部１０２と逆側に前記遊技盤本体２００の電子ロック機構６の下方に一定距離離して配設された一端が固着されたバネ材より成る薄板状矩形部材の揺動部材７４と、前記揺動部材７４の他端に回転自在に配設されたローラ状部材７３とから成り、図１０（ｂ）に示されるように前記遊技盤本体２００の電子ロック機構６において施錠動作された際に前記連結部材６５の下端６５１が図中右方へ揺動することに伴い当該下端６５１に押圧されローラ状部材７３が下方に退避するので前記ローラ状部材７３に連動して揺動部材７４が図中時計方向に揺動するため、上方に突出していた接点部材７５と揺動した揺動部材７４とが当接することによりロック状態を検知するように構成されている。
【００３４】
前記判定回路は、図１に示されるように前記外枠１０１の左側上下部の端部に配設されたヒンジ部１０２によって前記開閉扉９とともに揺動自在に支持された前記遊技盤本体２００の裏面に配設された制御基板１０８上に配設されたマイクロコンピュータ８０によって構成される。
【００３５】
前記マイクロコンピュータ８０は、図１１に示すように前記制御基板１０８上に配設されたＣＰＵ８１と、制御プログラム、不正開閉判定プログラム他の各種プログラムおよびデータが格納されているＲＯＭ８２およびＲＡＭ８３と、Ｉ／０すなわち入出力インターフェース８４とから成る。
【００３６】
前記入出力インターフェース８４の入力インターフェース８４１には、前記位置検出センサーと、前記扉開閉検知手段４の押圧検知センサー４６と、前記遊技盤本体２００の鍵のロック位置検出センサー５と、電子ロック検知手段７その他のセンサーおよび前記解除スイッチ１１０その他の各種スイッチがそれぞれ接続されている。
【００３７】
前記入出力インターフェース８４の出力インターフェース８４２には、図柄表示装置、スピーカ、装飾ランプ、役物装置、遊技球発射ソレノイド、前記復帰駆動手段２０３と前記電子ロック機構６および報知手段９０その他のものが接続されている。
【００３８】
上記構成より成る本第１実施例の遊技機における前記遊技盤本体２００の不正閉鎖検知の大略の流れを以下で説明する。
【００３９】
最初に本第１実施例のパチンコ遊技機において電源が供給された営業時間中には図６（ａ）に示されるように前記遊技盤本体２００の鍵が開錠されると、前記遊技盤本体２００の鍵のロック位置検出センサー５においてＯＦＦ検知される。
【００４０】
続いて、前記遊技盤本体２００の鍵のロック位置検出センサー５のＯＦＦ検知信号に基づき前記遊技盤本体２００の電子ロック機構６において電子ロックが解除されるとともに前記電子ロック機構６のロック状態を検知する電子ロック検知手段７がＯＦＦ検知される。
【００４１】
すなわち前記ソレノイド６２の磁気駆動力により前記往復部材６１が図中左方に移動するので、該往復部材６１と連結された第２の往復部材としての円柱状のロック棒６８が図中左方に移動することにより、前記遊技盤本体２００に配設された第２の固定部材７２の前記穴部７１と非接触状態となり前記遊技盤本体２００が開閉自在な状態となる。また、前記往復部材６１が図中左方に移動するので、該往復部材６１と連結した前記連結部材６５が図中左方に移動するため、前記連結部材６５の下端６５１が図中左方に退避することにより、前記電子ロック機構６のロック状態を検知する電子ロック検知手段７の前記ローラ状部材７３が図中下方への前記下端６５１による押圧から開放され図中上方へと退避し、前記ローラ状部材７３と連動して前記揺動部材７４が反時計方向に揺動することによって、前記揺動部材７４と前記接点部材７５が非接触状態（ロック解除状態）となることによりＯＦＦ検知される。
【００４２】
次に図８（ａ）および図８（ｃ）に示されるように前記遊技盤本体２００が開放されると前記扉開閉検知手段４においてＯＦＦ検知されるとともに図３に示されるように前記第１の移動部材２１１および第２の移動部材２１２が前記遊技盤本体２００内における図中左方向に移動する。
【００４３】
続いて前記遊技盤本体２００が閉鎖されると、図４に示されるように前記第１の移動部材２１１は前記係止部材２１３の係止により一定位置に維持されるとともに、前記第２の移動部材２１２は前記遊技盤本体２００の左右方向における右方向に退避されるので、前記位置検出センサーにおいてＯＮ検知されるとともに、図８（ｂ）および図８（ｄ）に示されるように前記扉開閉検知手段４においてＯＮ検知され、該扉開閉検知手段４におけるＯＮ検知を契機として図５に示されるように復帰駆動手段２０３が作動し前記第１の移動部材２１１または前記第２の移動部材２１２が定位置に戻り前記位置検出センサーのフォトセンサー受光部２２２によってＯＦＦ検知される。
【００４４】
続いて図６（ｂ）に示されるように前記遊技盤本体２００の鍵が施錠されると前記遊技盤本体２００の鍵のロック位置検出センサー５によってＯＮ検知される。
【００４５】
ここで、前記遊技盤本体２００の鍵のロック位置検出センサー５におけるＯＮ検知を契機として図１０（ｂ）に示されるように電子ロック機構において、施錠されるとともに、前記電子ロック機構６のロック状態を検知する電子ロック検知手段７において、ＯＮ検知される。
【００４６】
すなわち前記ソレノイド６２の磁気駆動力により前記往復部材６１が図中右方に移動するので、該往復部材６１と連結された第２の往復部材としての円柱状のロック棒６８が図中右方に移動することにより、前記遊技盤本体２００に配設された第２の固定部材７２の前記穴部７１に前記円柱状のロック棒６８が収容され、前記遊技盤本体２００が開放不可能な状態となる。また、前記往復部材６１が図中右方に移動するので、該往復部材６１と連結した前記連結部材６５が図中右方に移動するので前記連結部材６５の下端６５１が図中右方に移動することにより、前記電子ロック機構６のロック状態を検知する電子ロック検知手段７の前記ローラ状部材７３を図中下方へ押圧し、前記ローラ状部材７３と連動して前記揺動部材７４が時計方向に揺動することにより、前記揺動部材７４と前記接点部材７５が接触状態となることによりＯＮ検知される。
【００４７】
次に本第１実施例のパチンコ遊技機において電源が供給されていない営業時間外においては前記遊技盤本体２００の鍵が開錠されても、電源が供給されていないため前記遊技盤本体２００の鍵のロック位置検出センサー５は図６（ａ）に示されるようなＯＦＦ状態となるがＯＦＦ検知はされず、当然前記遊技盤本体２００の電子ロック機構６において電子ロックが解除されるための信号も出力されない。
【００４８】
すなわち鍵が開錠されると前記遊技盤本体２００の鍵のロック位置検出センサー５において、前記係合部材５６が反時計方向に回転するので、該係合部材５６の先端部との接触により押圧されていた前記ローラ状部材５１が図中右方に突出するため、前記接点部材５３に当接していた前記揺動部材５２が図中時計方向に揺動して、前記接点部材５３との接触状態が解除され、ＯＦＦ状態となるが電源が供給されていないため当然前記遊技盤本体２００の電子ロック機構６において電子ロックが解除されるための信号が出力されないので、前記電子ロック機構６は図１０（ｂ）に示されるように前記往復部材６１が図中右方の位置に維持されるので、該往復部材６１と連結された第２の往復部材としての円柱状のロック棒６８が図中右方の位置に維持されることにより、前記遊技盤本体２００に配設された第２の固定部材７２の前記穴部７１に前記円柱状のロック棒６８が収容された状態を維持するため、前記遊技盤本体２００が開放不可能な状態を維持する。
【００４９】
本第１実施例のパチンコ遊技機においては、営業時間が終了し、正当な手順でパチンコ遊技機への電源が切断された場合には、営業時間外において前記遊技盤本体２００は開放不可能となるように構成されており、不正閉鎖を検知する機能に加え不正開放を防止する機能を有している。
以下、不正に電子ロックを解除された場合等により前記遊技盤本体２００が不正開放される場合を説明する。上記した不正開放がされる場合には、前記遊技盤本体２００の鍵のロック位置検出センサー５は図６（ａ）に示されるようなＯＦＦ状態にあり、前記遊技盤本体２００の電子ロック機構６は図１０（ａ）に示されるように不正解除されており前記電子ロック機構６のロック状態を検知する電子ロック検知手段７はＯＦＦ状態にある。
【００５０】
すなわち前記遊技盤本体２００の鍵のロック位置検出センサー５において前記係合部材５６の先端部と前記ローラ状部材５１は非接触状態であり、前記接点部材５３に当接していた前記揺動部材５２は図中時計方向に揺動した状態であるため前記接点部材５３とは非接触状態が維持されている。
【００５１】
また、何者かの何らかの操作により前記往復部材６１が図中左方に移動されているので、該往復部材６１と連結された第２の往復部材としての円柱状のロック棒６８が図中左方に移動することによって、前記遊技盤本体２００に配設された第２の固定部材７２の前記穴部７１と非接触状態となり前記遊技盤本体２００が開閉自在な状態となる。また、前記往復部材６１が図中左方に移動されるので、該往復部材６１と連結した前記連結部材６５が図中左方に移動するため、前記連結部材６５の下端６５１が図中左方に退避することにより、前記電子ロック機構６のロック状態を検知する電子ロック検知手段７の前記ローラ状部材７３が図中下方への前記下端６５１による押圧から開放され図中上方へと退避し、前記ローラ状部材７３と連動して前記揺動部材７４が反時計方向に揺動することによって、前記揺動部材７４と前記接点部材７５が非接触状態となることによりＯＦＦ状態となる。
【００５２】
次に、前記遊技盤本体２００が不正開放されると、前記扉開閉検知手段４は図８（ｂ）に示されるようなＯＦＦ状態となるとともに、前記第１の移動部材２１１および前記第２の移動部材２１２が、図３に示されるように前記遊技盤本体２００の左右方向左方に移動する。
【００５３】
続いて前記遊技盤本体２００が閉鎖されると図４に示されるように前記第１の移動部材２１１は前記係止部材２１３の係止により一定位置に維持されるとともに、第２の移動部材２１２は前記遊技盤本体２００の左右方向右方に退避されるので、前記位置検出センサーによって検知可能な状態となるとともに、前記扉開閉検知手段４は図８（ｂ）に示されるようにＯＮ状態となるが、電源が供給されていないため前記復帰駆動手段２０３が作動しないため、前記第１の移動部材２１１および前記第２の移動部材２１２は図４に示されるように移動した場所にとどまり前記位置検出センサーは検知可能な状態を維持する。
【００５４】
続いて、前記遊技盤本体２００の鍵が施錠されると前記遊技盤本体２００の鍵のロック位置検出センサー５は図６（ｂ）に示されるようなＯＮ状態となるが、電源が供給されていないため前記遊技盤本体２００の電子ロック機構６において電子ロックが施錠されるための信号は出力されず、前記電子ロック機構６のロック状態を検知する電子ロック検知手段７は図１０（ａ）に示されるようなＯＦＦ状態を維持する。
【００５５】
すなわち鍵が施錠されると前記遊技盤本体２００の鍵のロック位置検出センサー５において前記係合部材５６が時計方向に回転するので、前記ローラ状部材５１が該係合部材５６の先端部に押圧されて図中左方に移動するため、前記ローラ状部材５１と連動して動く前記揺動部材５２が図中反時計方向に揺動して、前記接点部材５３と接触することにより、ＯＮ状態となるが前記遊技盤本体２００の電子ロック機構６の前記ソレノイド６２は復帰駆動電流が供給されないため前記往復部材６１が図中左方に移動した位置で維持され、該往復部材６１と連結された第２の往復部材としての円柱状のロック棒６８が図中左方に移動した位置で維持されることによって、前記遊技盤本体２００に配設された第２の固定部材７２の前記穴部７１と前記円柱状のロック棒６８は非接触状態を維持し、前記遊技盤本体２００が開放可能な状態を維持する。
【００５６】
上述したように前記遊技盤本体２００が不正に開放されその後閉鎖されると前記第２の移動部材２１２が退避することにより、図４に示されるように前記位置検出センサーによって検知可能な状態となっているので、翌朝電源供給が切断されていたパチンコ遊技機に、開店前に電源が投入されると前記位置検出センサーの前記フォトセンサー受光部２２２によって受光検知される。
【００５７】
正当な手順でパチンコ遊技機への電源が切断され、不正閉鎖されることなく再度電源が投入された場合は、前記位置検出センサーによって検知可能な状態となっていないため、前記フォトセンサー受光部２２２によって受光出力に基づき、前記判定回路によって営業時間外における不正閉鎖の可能性を判定し、パチンコ遊技機に備えられた報知手段９０によって報知するための信号を出力する。
【００５８】
なお、報知手段９０は、判定回路からの指令により、夜間に不正閉鎖が行われた場合の不正閉鎖報知状態と、夜間に不正閉鎖が行われなかった場合の正常報知状態を備えている。
【００５９】
なお、異常報知がなされ従業員により遊技盤に配設された釘の不正操作および制御基板への不正改造への処置がなされた後、前記遊技盤本体２００の鍵のロック機構５０において施錠動作されるとともに、前記遊技盤本体２００の鍵のロック位置検出センサー５において施錠が検知されると、前記判定回路からの復帰駆動指令に基づき前記復帰駆動手段２０３が作動し、前記第１の移動部材２１１が定位置に戻り前記位置検出センサーにおいてＯＦＦ検知される。
【００６０】
さらに前記遊技盤本体２００が不正閉鎖され前記電子ロック機構６のロック状態を検知する電子ロック検知手段７が図１０（ａ）に示されるようなＯＦＦ状態となり前記位置検出センサーが図４に示されるようなＯＮ状態となった後に、何者かが前記電子ロック機構６のロック状態を検知する電子ロック検知手段７を図１０（ｂ）に示されるようなＯＮ状態に戻した場合にも、本第１実施例のパチンコ遊技機では電源投入時に前記位置検出センサーがＯＮ検知されれば前記判定回路において不正閉鎖の可能性ありと判定するように設定してあるため前記電子ロック機構６を操作できる者による不正閉鎖に対しても検出可能なように構成されている。
【００６１】
また、本第１実施例においては、不正閉鎖による異常状態を判定した際には前記報知手段９０等により報知することに加え、一定条件が満たされるまでの間は遊技の開始を阻止する制御を加える変形例を採用することもできる。
【００６２】
本第１実施例における上述の遊技の開始阻止制御について、図１１のブロック図を用いて説明すると、位置検出センサーまたは電子ロック機構６のロック状態を検知する電子ロック検知手段７の出力に応じて前記判定回路において不正閉鎖が検知されるとメイン基板ＣＰＵ において異常判定制御が行なわれ、該異常判定制御からの出力信号により図柄表示装置、スピーカ、装飾ランプ、役物装置またはおよび報知手段９０等によって報知されるとともに、発射ソレノイドをＯＦＦとする信号を出力する。
【００６３】
次に異常報知および遊技の開始阻止制御の解除方法について以下で説明する。  本第１実施例の変形例の遊技機は、前記異常報知および遊技の開始阻止制御の解除方法として解除スイッチ１１０を備えており、前記解除スイッチ１１０は、図７に示されるように前記枠体１０１の後方方向に押圧可能なスイッチ操作部１１１と、前記枠体１０１の内部に備えられ前記スイッチ操作部１１１が前記枠体１０１の後方方向に押圧されたことを検知する押圧検知センサー１１２とから構成される。また前記解除スイッチ１１０を施錠管理可能とする鍵穴部１１３を有する包囲部材１１４を備えた構成となっている。
【００６４】
不正閉鎖により異常報知および遊技の開始阻止制御が作動されると、該報知により特定遊技台の不正開放をホール従業員が確認した後、前記解除スイッチ１１０の前記スイッチ操作部１１１を押圧することにより、前記押圧検知センサー１１２の検知出力がメイン基板ＣＰＵに送信されることにより前記異常報知および前記遊技の開始阻止制御が解除されるとともに、前記遊技盤本体２００の電子ロック機構６において施錠制御される。
【００６５】
以下において、電源切断時に不正閉鎖され、電源投入時に不正閉鎖による異常を検知し該異常検知による異常報知および遊技の開始阻止制御を前記解除スイッチ１１０を用いて解除するまでの流れを、前記制御基板１０８に配設された前記ＲＯＭ８２に予め格納されているプログラムに基づく図１２に示されるフローチャートを用いて説明する。
【００６６】
本第１実施例の遊技機は、電源が切断された閉店後、何者かが何らかの方法により電子ロックを解除して、前記遊技盤本体２００が不正に開放された後、前記遊技盤本体２００が閉鎖されると、前記位置検出センサーがＯＮ状態となる。
【００６７】
次にステップ２００１において、翌朝になり開店前に、遊技機の電源が投入される。
次にステップ２００２において、前記移動部材２１１および２１２が定位置にあるかどうかを、前記位置検出センサーによって検出し、定位置にある場合はステップ２００３において、前記遊技盤本体２００の電子ロック機構６が施錠状態か開錠状態かを前記電子ロック機構６のロック状態を検知する電子ロック検知手段７において検出する。
【００６８】
ステップ２００２において、前記移動部材２１１および２１２が定位置にあると判定されると、ステップ２００３において、前記遊技盤本体２００の電子ロック機構６が施錠状態であることが検出される場合は、ステップ２００４において、前記判定回路が正常と判定し、ステップ２００５において、遊技開始可能状態となる。
【００６９】
ステップ２００２において、前記移動部材２１１および２１２が定位置にないことすなわち移動位置にあることが検出されるもしくは、ステップ２００３において、前記遊技盤本体２００の電子ロック機構６が開錠状態であることが検出された場合には、ステップ２００６において、前記判定回路が異常と判定し、ステップ２００７において、異常報知が開始されるとともに、ステップ２００８において、遊技球の発射を阻止する制御が開始される。
【００７０】
次にステップ２００９において、従業員により遊技盤に配設された釘の不正操作および制御基板への不正改造への処置がなされた後、前記遊技盤本体２００の鍵のロック位置検出センサー５において施錠が検知されると、ステップ２０１０において、前記判定回路としての前記マイクロコンピュータ８０からの復帰駆動指令により前記復帰駆動手段２０３が作動し、前記第１の移動部材２１１が定位置に復帰する（前記移動部材２１１および２１２が定位置にある場合は現状が維持される）。
【００７１】
次にステップ２０１１において、前記解除スイッチ１１０が操作されると、ステップ２０１２において、開錠状態にある前記遊技盤本体２００の電子ロック機構６が前記ソレノイド６２の磁気駆動力により施錠される（前記遊技盤本体２００の電子ロック機構６が施錠状態にある場合は現状が維持される）。
【００７２】
続いてステップ２０１３において、異常報知が解除されるとともに、ステップ２０１４において、遊技球の発射を阻止する制御が解除されることにより、ステップ２００５において、遊技開始可能状態となる。
【００７３】
本第１実施例の遊技機においては、異常報知および遊技の開始阻止制御の解除方法の一例として前記解除スイッチ１１０を用いたが、以下に説明する電源切換検出手段を用いたもの、またはタイマー回路を用いたものでもよく、さらには前記解除スイッチ１１０または前記電源切換検出手段または前記タイマー回路を組み合わせた変形例を採用することも可能である。
【００７４】
最初に、異常報知および遊技の開始阻止制御の解除方法として電源切換検出手段を用いたものは図１３ブロック図に示されるように電源切換スイッチからの出力をメイン基板ＣＰＵ の電源切換判定制御により該電源切換が所定の条件を満たしているかを判定し、該電源切換が所定の条件を満たしている場合には異常報知および遊技の開始阻止制御を解除するものである。
【００７５】
本第１実施例の遊技機においては、異常報知および異常報知後における遊技の開始阻止制御のその他の解除方法として、電源が切断される時刻から次に電源が投入される時刻が１０秒以内であった場合に、異常報知および遊技の開始阻止制御を解除する例として、図１４および図１５を用いて説明する。
【００７６】
前記電源切換判定制御は、図１４の制御ブロックに示されるように電源切換スイッチからの出力を微分回路を介すことにより、電源投入信号パルスと電源切断信号パルスを抽出する。次に、タイマー回路により前記電源切断信号パルスの立ち上がりから１０秒間で立ち下がる矩形波パルスを出力し、前記電源の再投入信号パルスと前記１０秒間の矩形波パルスとをＡＮＤ 回路に入力することにより、アンド論理が成立する場合には、異常報知後の遊技の開始阻止制御を解除するものである。
【００７７】
図１５に示されるタイムチャートに沿って説明すると、上述の報知により特定遊技台の不正閉鎖をホール従業員が確認して、必要な処置を行った後、時刻ｔ１において遊技機に投入されていた電源が切断され時刻ｔ２において電源を再投入する。ここで時刻ｔ１では電源切断信号パルスとともに、時刻ｔ１における電源の切断により立ち上がる１０秒間のパルスが出力され、時刻ｔ２において電源再投入信号パルスが出力されると、該電源の切断時刻ｔ１から１０秒以内の時刻ｔ２に再び電源を投入することにより時刻ｔ２において前記電源投入信号パルスと前記１０秒間のパルスが同時に出力され、アンド論理が成立することとなり、不正閉鎖による異常報知および遊技の開始阻止制御を解除する条件となるＡＮＤ出力が抽出される。
【００７８】
以下においては、電源切断時に不正閉鎖され、電源投入時に不正閉鎖による異常を検知し該異常検知による異常報知および遊技の開始阻止制御を電源切換検出手段を用いて解除するまでの流れを図１６に示されるフローチャートを用いて説明する。なお、前記電源切換検出手段の出力により前記復帰駆動手段２０３が作動することにより前記移動部材２１１および２１２が定位置に戻る例として示す。
【００７９】
最初に、ステップ３００１において、翌朝開店前に遊技機の電源が投入され、ステップ３００２において、前記移動部材２１１および２１２が定位置にあるかないかを前記位置検出センサーによって検出し、定位置にある場合はステップ３００３において、前記遊技盤本体２００の電子ロック機構６が施錠状態か開錠状態かを前記電子ロック機構６のロック状態を検知する電子ロック検知手段７において検出する。
【００８０】
ステップ３００２において、前記移動部材２１１および２１２が定位置にあることが検出され、かつステップ３００３において、前記遊技盤本体２００の電子ロック６が施錠状態であることが検出される場合は、ステップ３００４において、前記判定回路が正常判定し、ステップ３００５において、遊技開始可能状態となる。
【００８１】
ステップ３００２において、前記移動部材２１１および２１２が定位置にないすなわち移動位置にあることが検出されるもしくは、ステップ３００３において、前記遊技盤本体２００の電子ロック６が開錠状態であることが検出された場合には、ステップ３００６において、前記判定回路が異常判定し、ステップ３００７において異常報知が開始されるとともに、ステップ３００８において、遊技球の発射を阻止する制御が開始される。
【００８２】
次にステップ３００９において、電源が切断され、ステップ３０１０において、電源が再び投入されると、ステップ３０１１において、該ステップ３０１０における電源再投入がステップ３００９の電源切断から１０秒以内に行なわれたものかどうかを判定し、ステップ３００９の電源切断からステップ３０１０の電源再投入が１０秒以内に行なわれた場合はステップ３０１２へと続き、ステップ３００９の電源切断からステップ３０１０の電源再投入が１０秒以内に行なわれていない場合はステップ３００７へと戻る。
【００８３】
ステップ３０１１において、異常報知および遊技の開始阻止制御を解除するための電源切換の所定条件が満たされると、ステップ３０１０の電源投入から５秒間が経過した後に、ステップ３０１２において移動した前記移動部材２１１および２１２が前記復帰駆動手段２０３により定位置に復帰される（前記移動部材が定位置にある場合は現状が維持される）とともに、ステップ３０１３において開錠状態にある前記遊技盤本体２００の電子ロック機構６が前記ソレノイド６２の駆動力により施錠される（前記遊技盤本体２００の電子ロック機構６が施錠状態にある場合は現状が維持される）。なお、従業員は、ステップ３０１０の電源投入より５秒以内に前記遊技盤本体２００を閉鎖させる。
続いてステップ３０１４において、異常報知が解除されるとともに、ステップ３０１５において遊技球の発射を阻止する制御が解除されることにより、ステップ３００５において遊技開始可能状態となる。
【００８４】
次に、異常報知および遊技の開始阻止制御の解除方法として前記タイマー回路を用いたものを図１７のブロック図を用いて説明すると、前記位置検出センサーまたは前記電子ロック機構６のロック状態を検知する電子ロック検知手段７の出力に応じて前記判定回路において不正閉鎖が検知されると、メイン基板ＣＰＵ において異常判定制御が行なわれ、該異常判定制御からの出力信号により図柄表示装置、スピーカ、装飾ランプ、役物装置またはおよび報知手段９０等によって報知されるとともに、発射ソレノイドをＯＦＦとする信号を出力し、該出力に応じメイン基板ＣＰＵ に備えられたタイマー回路によって１０分間を測定し、上述のように異常報知および遊技の開始阻止制御が作動した後１０分後に前記異常報知および遊技の開始阻止制御を解除する信号が出力されるよう構成されている。
【００８５】
不正閉鎖により異常報知および遊技の開始阻止制御が作動されると、１０分が経過するまでに特定遊技台への不正閉鎖をホール従業員が確認するとともに、１０分経過時には上述の不正閉鎖による異常状態を解除するための信号が人為的操作を必要とすることなく出力される。
【００８６】
以下においては、電源切断時に不正閉鎖され、電源投入時に不正閉鎖による異常を検知し該異常検知による異常報知後の遊技の開始阻止制御をプログラムにより等価的に前記タイマー回路を実現して判断した上で、解除するまでの流れを図１８に示されるフローチャートを用いて説明する。なお、前記タイマー回路の出力により前記復帰駆動手段２０３が作動することにより前記移動部材２１１および２１２が定位置に戻る例として示す。
【００８７】
最初にステップ４００１において、翌朝開店前に遊技機の電源が投入されると、ステップ４００２において、前記移動部材２１１および２１２が定位置にあるかないかを前記位置検出センサーにおいて検出し、定位置にある場合はステップ４００３において、前記遊技盤本体２００の電子ロック機構６が施錠状態か開錠状態かを前記電子ロック機構６のロック状態を検知する電子ロック検知手段７において検出する。
【００８８】
ステップ４００２において、前記移動部材２１１および２１２が定位置にあることが検出され、かつステップ４００３において、前記遊技盤本体２００の電子ロック機構６が施錠状態であることが検出される場合は、ステップ４００４において、前記判定回路が正常判定し、ステップ４００５において、遊技開始可能状態となる。
【００８９】
ここでステップ４００２において、前記移動部材２１１および２１２が定位置にないすなわち移動位置にあることが検出される、もしくはステップ４００３において、前記遊技盤本体２００の電子ロック機構６が開錠状態であることが検出された場合には、ステップ４００６において、前記判定回路が異常判定し、ステップ４００７において異常報知が開始されるとともに、ステップ４００８において、遊技球の発射を阻止する制御が開始される。
【００９０】
ステップ４００９において、ステップ４００６の前記判定回路においての異常判定時刻から１０分経過したかを判断し、１０分未経過の場合はステップ４００７に戻り、１０分経過が判断されると、ステップ４０１０において、移動した前記移動部材２１１および２１２が前記復帰駆動手段２０３により定位置に復帰される（前記移動部材２１１および２１２が定位置にある場合は現状が維持される）とともに、ステップ４０１１において、開錠状態にある前記遊技盤本体２００の電子ロック機構６が前記ソレノイド６２の磁気駆動力により施錠される（前記遊技盤本体２００の電子ロック機構６が施錠状態にある場合は現状が維持される）。
【００９１】
続いてステップ４０１２において、異常報知が解除されるとともに、ステップ４０１３において、遊技球の発射を阻止する制御が解除されることにより、ステップ４００５において、遊技開始可能状態となる。
【００９２】
上記作用を奏する本第１実施例のパチンコ遊技機は、電源が切断された閉店後において、何者かによって、前記遊技盤本体２００が不正に開放されると、前記遊技盤本体２００の閉鎖により前記第２の移動部材２１２が図中左右方向における右方に移動して退避することにより、翌朝電源投入後に前記位置検出センサーのフォトセンサー受光部２２２によって受光検知されるものであるため、夜間の電源切断時における前記遊技盤本体２００の不正閉鎖を、非接触で確実に検知することが出来るという効果を奏する。
【００９３】
また本第１実施例の遊技機は、翌朝および昼間の電源投入時において前記鍵のロック位置検出センサー５が、前記鍵のロック機構５０の施錠を検知して出力が出されているときは、前記判定回路が、前記移動部材２１１および２１２が移動している場合には前記復帰駆動手段２０３に復帰駆動指令を出力するので、翌朝電源投入時において前記移動部材２１１および２１２を確実に定位置に復帰させて不正閉鎖を検知できるようにするとともに、昼間の営業時間中には前記扉開閉検知手段４が、前記遊技盤本体２００の閉鎖を検知して前記復帰駆動手段２０３に復帰駆動指令を出力するので、昼間の営業時間中に従業員が行う遊技機の前記遊技盤本体２００の開閉動作を伴う点検業務を円滑なものとするという効果を奏する。
【００９４】
さらに、本第１実施例のパチンコ遊技機は、夜間における前記遊技盤本体２００の閉鎖動作に応じて移動した前記移動部材２１１および２１２の位置を、翌朝電源投入がされた後、前記位置検出センサーによって、定位置にあるのか、移動した位置にあるのかを検出して、前記位置検出センサーの出力に基づき判定回路により遊技盤本体２００の閉鎖判定をするので、かかる判定に基づき遊技盤に配設された釘への不正操作および制御基板の不正改造に対する処置を可能するという効果を奏する。
【００９５】
また、本第１実施例のパチンコ遊技機は、図２ないし図５に示されるように前記移動機構および前記復帰駆動手段２０３が、前記開閉扉９および遊技盤本体２００を揺動自在に支持する前記ヒンジ部１０２側の遊技盤本体２００の円筒状凹部に前記枠体１０１の内側壁に対向して介挿されているので、包囲部材を用いるまでもなく不可視な構造とすることにより、不正閉鎖をした者の不正閉鎖検知を回避するための操作を阻止できるという効果を奏する。
【００９６】
なお、本第１実施例の遊技機は、仮に位置検出センサーが壊れて、前記移動部材２１１および２１２の移動を検知出来ない場合でも、前記遊技盤本体２００の鍵のロック位置検出センサー５が前記鍵のロック機構５０の開錠を検知している場合には、前記判定回路によって不正閉鎖があったと判定することが出来る。
【００９７】
また本第１実施例の遊技機は、前記解除スイッチ１１０、電源切断検出手段およびまたはタイマー回路を用いて上述の所定の条件を満たした時は、上述のロック位置検出センサー５が壊れて、前記鍵のロック機構５０の施錠を検知する出力が出されていない場合には、前記復帰駆動手段２０３の復帰駆動作指令を出力して、前記移動部材２１１および２１２を定位置に復帰させることができるため、夜間における前記遊技盤本体２００の不正閉鎖を精確に検知するとともに、翌朝電源投入後に遊技盤に配設された釘への不正操作および制御基板の不正改造に対する処置を可能にして、新たな不正閉鎖が検知出来るように前記移動部材２１１および２１２を定位置に復帰させるという効果を奏する。
【００９８】
さらに本第１実施例の遊技機は、前記報知手段９０が、前記判定回路において前記移動部材２１１および２１２が定位置にあることを判定した時、前記移動部材２１１および２１２が定位置にあることを報知するので、夜間における前記遊技盤本体２００の不正閉鎖が無かったことを確実に報知して、遊技盤に配設された釘への不正操作および制御基板の不正改造の有無のチェックを不要にするという効果を奏する。
【００９９】
また、本第１実施例の遊技機は、異常判定制御からの出力信号に基づき、図柄表示装置、スピーカ、装飾ランプまたは役物装置等のいずれかまたは報知手段９０を用いて報知することが出来るので、確実に報知して、遊技盤に配設された釘への不正操作および制御基板の不正改造に対する処置を可能にするという効果を奏する。
【０１００】
また本第１実施例の遊技機は、異常判定制御からの出力信号に基づき、上述のように報知するとともに、発射ソレノイドをＯＦＦとする信号を出力して、遊技球の発射阻止を可能にするという効果を奏する。
【０１０１】
さらに本第１実施例の遊技機においては、前記解除スイッチ１１０からの信号に基づき、上述の異常報知および遊技の開始阻止制御を簡単且つ確実に解除することが出来るという効果を奏する。
【０１０２】
また本第１実施例の遊技機においては、前記解除スイッチ１１０を用いることなく上述の電源切換検出手段を用いることにより、上述の異常報知および遊技の開始阻止制御を簡単且つ確実に解除することが出来るという効果を奏する。
【０１０３】
また本第１実施例の遊技機においては、上述の制御基板の不正改造に対する処置を行なうのに必要な時間を考慮した例えば１０分に設定された等価的なタイマー回路を用いることにより、ホール従業員の前記解除スイッチ１１０その外の何らの操作を必要とすることなく、上述の異常報知および遊技の開始阻止制御を簡単且つ確実に解除することが出来るという効果を奏する。
【実施例２】
【０１０４】
本第２実施例のパチンコ遊技機は、図１９ないし図２４に示されるように、外枠１０１に対して揺動自在に付設された開閉扉９および遊技盤本体１００と、前記開閉扉９の鍵のロック機構５０とを備えたパチンコ遊技機において、一端１５１１が前記開閉扉９に当接し、前記開閉扉９の開閉動作に応じて移動する移動部材１５０を構成する第１の移動部材１５１と、前記第１の移動部材１５１の移動に応じて移動する前記移動部材１５０を構成する第２の移動部材１５２と、該第２の移動部材１５２に連絡して、該第２の移動部材１５２の前記開閉扉９の開放動作に選択的に連動して移動位置に移動する第３の移動部材１５３と、前記第３の移動部材１５３が定位置にあるのか移動位置にあるのかを検出する位置検出センサー７０２と、移動した前記第３の移動部材１５３を定位置に復帰させる復帰駆動手段と、前記開閉扉９の扉開閉検知手段４と、前記開閉扉９の鍵のロック位置検出センサー５と、これらの検出センサーおよび検知手段からの入力情報に応じて営業時間中の正当な開閉扉９の閉鎖かまたは営業時間外の不正な遊開閉扉９の閉鎖かを判定する判定回路から構成されているものである。
【０１０５】
前記移動部材１５０は、図２０ないし図２３に示されるように遊技盤本体１００内に移動自在に介挿された前記第１の移動部材１５１と前記第２の移動部材１５２と、前記第２の移動部材１５２が下方に移動する時のみ選択的に下方に移動する移動部材であるところの第３の移動部材１５３とから成る。
【０１０６】
前記第１の移動部材１５１は、図２０ないし図２３に示されるようにロッド部材によって構成され、前記遊技盤本体１００内の円筒状の部屋１５５内に同軸的に介挿されるとともに、水平な横方向に移動自在に延在配設され、リング状の係止部１５１３と前記円筒状の部屋１５５の図中右側の底部１５５１との間に付勢部材としてのコイルスプリング１５１４が介挿され、図中左方に移動するような拡開する付勢力が作用している。
【０１０７】
前記第１の移動部材１５１の前記一端１５１１は、図２０ないし図２３に示されるように前記円筒状の部屋の図中左側の底部１５５２の中央に穿設された開口部１５５３に挿入突出され、前記開閉扉９の壁面に当接するとともに、図２４に示されるように前記第１の移動部材１５１の他端１５１２は、ローラ部材１５１５がピン１５１６とピンの両端を支持する支持機構１５１７により回転自在に配設されている。
【０１０８】
前記第２の移動部材１５２は、図２０ないし図２３に示されるように略逆Ｌ字状の板状部材によって構成され、上端１５２１と前記遊技盤本体１００の係止部との間に付勢部材としてのスプリング１５２２が介挿され、図中下方に向かう付勢力が作用している。
【０１０９】
前記第２の移動部材１５２は、図２０ないし図２３に示されるように左側面には傾斜面１５２３と水平面１５２４とから成る略横Ｖ字状の開口部１５２５が形成されている。
【０１１０】
前記第２の移動部材１５２の前記略横Ｖ字状の開口部１５２５内には、前記第１の移動部材１５１のローラ部材１５１５が回転自在に配設された前記他端１５１２が介挿され、前記第１の移動部材１５１の前記ローラ部材１５１５が前記開口部１５２５の前記傾斜面１５２３に当接しており、前記開閉扉９が開閉されると前記ローラ部材１５１５が前記開口部１５２５の前記傾斜面１５２３に沿って転動することにより、前記第１の移動部材１５１が往復動して進退するように構成されている。
【０１１１】
前記第２の移動部材１５２は、図２０ないし図２３に示されるように下方の突出部１５２６の左側面は、前記遊技盤本体１００の一部に形成された前記第２の移動部材１５２を図中右方向に押圧する押圧部１０８に当接するとともに、下方の突出部１５２６の右側面には一定範囲に亘り傾斜部と水平部が交互に繰り返し形成された係合部１５２７が形成されている。
【０１１２】
前記第３の移動部材１５３は、図２０ないし図２３に示されるように前記第２の移動部材１５２に対向して並設された矩形状の部材によって構成され、左側面には一定範囲に亘り傾斜部と水平部が交互に繰り返し形成された係合部１５３１が形成され、前記開閉扉９が開放され前記第１の移動部材１５１が左方に突出する時には、前記第２の移動部材１５２が下方に移動することにより、前記係合部１５２７と前記係合部１５３１が係合して下方に移動するように構成されている。
【０１１３】
前記第３の移動部材１５３は、右側面下部には、前記開閉扉９が開放され前記第２の移動部材１５２が下方に移動する時は、水平部と水平部との係合により前記係合部１５２７と係合して下方に移動した後、前記開閉扉９が閉鎖されると前記第２の移動部材１５２は上方に移動するが、その時は傾斜部と傾斜部との接触した状態においてスライドするので前記第２の移動部材１５２の前記係合部１５２７と係合しないため、下方の移動位置に止まるため新たな前記開閉扉９の不正開閉を検出するために上方の定位置に復帰させるための前記遊技盤本体１００の壁面に上下方向に形成されたスロット１０７から突出する前記復帰駆動手段としての把手１５４が配設されている。
【０１１４】
前記第３の移動部材１５３は、前記開閉扉９が開放されて下方に移動した時点において、図２０ないし図２３中ｈで示される位置に光を透過する位置検出センサー７０２用の貫通孔７２１が形成されている。
【０１１５】
また、前記遊技盤本体１００の壁面に上下方向に形成されたスロット１０７から突出する把手１５４が、前記スロット１０７内の上方位置にある時は、前記第３の移動部材１５３が上方の定位置にあるということであり、前記開閉扉９が閉鎖された状態のままであることが報知されていることになり、前記スロット１０７内の下方位置にある時は、前記第３の移動部材１５３が下方の定位置にあるということであり、前記開閉扉９が開放されたことが報知される構成になっているのである。
【０１１６】
なお、上記構成より成る本第２実施例のパチンコ遊技機は、前記開閉扉９が閉鎖されている時には、図２０、図２２および図２３に示されるように前記第１の移動部材１５１の前記一端１５１１が、前記開閉扉９の壁面に押圧され、図中右方向右端位置すなわち前記第１の移動部材１５１の前記他端１５１２に配設されたローラ部材１５１５が、前記開口部１５２５の前記傾斜面１５２３の右端部に当接しており、押し込まれている。
【０１１７】
前記位置検出センサー７０２は、図２０ないし図２３に示されるように前記押圧部１０８の図中ｈで示される位置に形成された凹部に配設されたフォトセンサー発光部７２２と、前記遊技盤本体１００の壁面に付設された凹部に配設され、前記フォットセンサー発光部７２２から導かれた光を感知するフォトセンサー受光部７２３とにより構成されている。
【０１１８】
なお、前記扉開閉検知手段４および前記開閉扉９の鍵のロック位置検出センサー５においては、上述の実施例１と同様の構成であるため説明を省略する。
【０１１９】
以下において、昼間の電源供給時においての本第２実施例における前記開閉扉９の不正閉鎖検知の大略の流れを説明する。
【０１２０】
最初に、前記開閉扉９の鍵のロック機構５０おいて前記開閉扉９の鍵が開錠されると前記開閉扉９の鍵のロック位置検出センサー５においてＯＦＦ検知される。
【０１２１】
次に、昼間において、従業員により前記開閉扉９が開放された時には、前記扉開閉検知手段４においてＯＦＦ検知されるとともに、前記第１の移動部材１５１が図中左方に移動するとともに、前記第２の移動部材１５２および前記第３の移動部材１５３が図中下方へと移動する。
【０１２２】
すなわち図２１に示されるように前記コイルスプリング１５１４の付勢力により、前記第１の移動部材１５１が左方に移動してその前記一端１５１１が、前記遊技盤本体１００から左方に突出するので、前記他端１５１２の前記ローラ部材１５１５が、前記開口部１５２５の前記傾斜面１５２３の右端部から左端部に転動して後退するので、下方に向かう付勢力が作用しているスプリング１５２２が前記第２の移動部材１５２を下方に移動させる。
【０１２３】
前記第２の移動部材１５２が下方に移動する時は、図２１に示されるように前記第２の移動部材１５２の左側面が前記遊技盤本体１００の一部に形成された前記押圧部１０８に当接して前記第２の移動部材１５２を図中右方向に押圧するので、前記係合部１５２７と前記第３の移動部材１５３の係合部１５３１とが係合して、前記第２の移動部材１５２と前記第３の移動部材１５３とが一体的に下方に移動して、下端の移動位置まで移動する。
【０１２４】
ここで、本第２実施例においては、復帰駆動手段が手動操作によるものであるため前記開閉扉９が開放されている状態において、従業員は前記遊技盤本体１００の壁面に上下方向に形成されたスロット１０７の下端位置から突出する把手１５４を手前（図２１中右方に引きながら上方にスライドして前記把手１５４を操作することにより、図２３に示されるように前記第３の移動部材１５３を定位置に復帰させる。
【０１２５】
次に前記開閉扉９が閉鎖されると、前記扉開閉検知手段４においてＯＮ検知されるとともに、前記第１の移動部材１５１が図中右方に移動することにより前記第２の移動部材１５２が図中上方へと移動する。
【０１２６】
すなわち、前記開閉扉９の壁面に押圧され前記第１の移動部材１５１が、図２２に示されるように右方に押し込まれるので、前記第２の移動部材１５２は上方に移動するが、その時は前記第２の移動部材１５２の前記係合部１５２７と前記係合部１５３１とが係合しないため、前記第３の移動部材１５３は定位置に停止した状態を維持する。
【０１２７】
次に前記開閉扉９の鍵のロック機構５０において施錠されると、前記開閉扉９の鍵のロック位置検出センサー５においてＯＮ検知される。
【０１２８】
なお本第２実施例のパチンコ遊技機においては、昼間の営業時間中において従業員による正当な前記開閉扉９の開閉が行われる時には、前記開閉扉９の開放時において前記復帰駆動手段である前記把手１５４が操作されることにより、前記位置検出センサー７０２は常にＯＦＦ検知されているため、前記判定回路において正常判定される。
【０１２９】
次に夜間の電源非供給時の営業時間外において、本第２実施例における不正閉鎖検知の流れを説明する。
【０１３０】
最初に、前記開閉扉９の鍵のロック機構５０おいて前記開閉扉９の鍵が開錠されると前記開閉扉９の鍵のロック位置検出センサー５においてＯＦＦ状態となる。
【０１３１】
次に、前記開閉扉９が不正開放された時には、前記扉開閉検知手段４においてＯＦＦ状態となるとともに、前記第１の移動部材１５１が図中左方に移動するとともに、前記第２の移動部材１５２および前記第３の移動部材１５３が図中下方へと移動する。
【０１３２】
すなわち図２１に示されるように前記コイルスプリング１５１４の付勢力により、前記第１の移動部材１５１が左方に移動してその前記一端１５１１が、前記遊技盤本体１００から左方に突出するので、前記他端１５１２の前記ローラ部材１５１５が、前記開口部１５２５の前記傾斜面１５２３の右端部から左端部に転動して後退するので、下方に向かう付勢力が作用しているスプリング１５２２が前記第２の移動部材１５２を下方に移動させる。
【０１３３】
前記第２の移動部材１５２が下方に移動する時は、図２１に示されるように前記第２の移動部材１５２の左側面が前記遊技盤本体１００の一部に形成された前記押圧部１０８に当接して前記第２の移動部材１５２を図中右方向に押圧するので、前記係合部１５２７と前記第３の移動部材１５３の係合部１５３１とが係合して、前記第２の移動部材１５２と前記第３の移動部材１５３とが一体的に下方に移動して、下端の移動位置まで移動する。
【０１３４】
次に前記開閉扉９が閉鎖されると、図２３に示されるように前記扉開閉検知手段４においてＯＮ状態となるとともに、前記第１の移動部材１５１が図中右方に移動することにより前記第２の移動部材１５２が図中上方へと移動するため前記位置検出センサー７０２においてＯＮ状態となる。
【０１３５】
すなわち、前記開閉扉９の壁面に押圧され前記第１の移動部材１５１が、図２３に示されるように右方に押し込まれるので、前記第２の移動部材１５２は上方に移動するが、その時は前記第２の移動部材１５２の前記係合部１５２７と前記係合部１５３１とが係合しないため、前記第３の移動部材１５３は下方の移動位置に停止した状態を維持する。
【０１３６】
ここで図中ｈで示される位置において、前記フォトセンサー発光部７２２から導かれた光が前記貫通孔７２１を介して前記フォトセンサー受光部７２３において感知されるため前記位置検出センサー７０２おいてＯＮ状態となる。
【０１３７】
次に前記開閉扉９の鍵のロック機構５０において施錠されると、前記開閉扉９の鍵のロック位置検出センサー５においてＯＮ状態となる。
【０１３８】
ここで翌朝電源が投入されると、正当な手順でパチンコ遊技機への電源が切断され、不正閉鎖されることなく再度電源が投入された場合にはＯＦＦ検知される前記位置検出センサー７０２よってＯＮ検知されるため、前記位置検出センサー７０２の検知出力に従い前記判定回路によって営業時間外における不正閉鎖の可能性を判定し、パチンコ遊技機に備えられた報知手段９０によって報知するための信号を出力する。なお、前記判定回路において不正閉鎖が判定されたことによる異常報知の解除方法としては上述の第１実施例において説明したタイマー回路を用いる。
【０１３９】
上記作用を奏する本第２実施例のパチンコ遊技機は、前記移動部材１５０を構成する一端１５１１が前記開閉扉９に当接した前記第１の移動部材１５１が、前記開閉扉９の開閉動作に応じて横方向に移動し、前記第２の移動部材１５２が、前記第１の移動部材１５１の移動に応じて下方に移動することから、前記第３の移動部材１５３が、該第２の移動部材１５２に連絡して、該第２の移動部材１５２の前記開閉扉９の開放動作に選択的に連動して移動位置に下方移動し、前記開閉扉９の開閉動作を報知するので、前記開閉扉９の不正閉鎖を確実に検知することが出来るという効果を奏する。
【０１４０】
また本第２実施例のパチンコ遊技機は、前記開閉扉９の不正閉鎖を確実に検知して報知するので、翌朝電源投入後に遊技盤に配設された釘への不正操作および制御基板の不正改造に対する処置を可能にするという効果を奏する。
【０１４１】
さらに本第２実施例のパチンコ遊技機は、前記復帰駆動手段としての前記把手１５４を操作することにより、前記開閉扉９の開放動作に選択的に連動して移動位置に移動した前記移動部材としての前記第３の移動部材１５３を定位置に復帰させるので、新たな前記開閉扉９の不正閉鎖の検知を可能にするという効果を奏する。
【０１４２】
上述の実施例は、説明のために例示したもので、本発明としてはそれらに限定されるものでは無く、特許請求の範囲、発明の詳細な説明および図面の記載から当業者が認識することができる本発明の技術的思想に反しない限り、変更および付加が可能である。
【０１４３】
上述の実施例は、一例としてパチンコ遊技機について説明したが、本発明としてはそれらに限定されるものでは無く、パチンコ遊技機に限らず、外枠および開閉扉を有する回胴式遊技機をはじめその他本発明を適用可能な遊技機等についても適用可能である。
【０１４４】
上述の第１実施例においては一例として遊技盤本体の閉鎖動作に連動して移動する移動部材と、移動部材の位置を検出する位置検出センサーと、位置検出センサーからの出力に基づき遊技機本体の閉鎖を判定する判定回路とに加え、扉開閉検知手段と鍵のロック機構と、鍵のロック位置検出センサーと、電子ロック機構と、電子ロック検知手段を備えている例について説明したが、本発明としてはそれらに限定されるものではなく、移動部材と位置検出センサーと判定回路のみが必須の構成要件であり、その他の構成については必要に応じて適宜組合わせればよい選択的構成要件である。
【０１４５】
また、上述の実施例では復帰駆動手段の作動契機として、一例として扉開閉検知手段、鍵のロック位置検出センサーにおける検知出力、解除スイッチ、電源切換検出手段またはおよびタイマー回路を用いたが、位置検出センサーにおける検知出力のみでも復帰駆動手段の作動契機とする構成としてもよいし、その他本発明の技術構成を満たす範囲内においては適宜選択して用いることができる。
【０１４６】
上述の第１実施例のパチンコ遊技機においては、一例として前記移動部材の位置を検出するための前記位置検出センサーとしてフォトセンサーを用いた態様を、移動された前記移動部材２１１および２１２の位置を定位置に復帰させる前記復帰駆動手段２０３としてソレノイドを用いた態様を、前記遊技盤本体２００の開閉を検知する前記扉開閉検知手段４として押圧検知センサーを用いた態様を、前記遊技盤本体２００の鍵のロック位置検出センサー５として押圧検知センサーを用いた態様を、前記遊技盤本体２００の電子ロック機構６としてソレノイドを用いた態様を、前記電子ロック機構６のロック状態を検知する電子ロック検知手段７として押圧検知センサーを用いた態様を採用したが、本発明はこれらに限定されるものではなく、前記移動部材２１１および２１２の位置を検出するのに押圧検知センサー、磁気的センサーその他の物理的減少を利用した非接触式センセーおよび接触式センサーを用いた態様や、前記復帰駆動手段２０３または前記遊技盤本体２００の電子ロック機構６としてモーター等を用いた態様や、さらには前記遊技盤本体２００の開閉または遊技盤本体２００の鍵のロックまたは電子ロック状態を検出するのに光学的フォトセンサーの他、磁気的センサーその他の物理的減少を利用した非接触式センセーおよび接触式センサーを用いた態様を採用することが出来る。
【０１４７】
また、第１実施例においては、前記報知手段９０が不正閉鎖が行われたことを報知する不正閉鎖報知状態および不正閉鎖が行われなかったことを報知する正常報知状態を実現したが、不正閉鎖報知状態を実現するのみもしくは正常報知状態を実現するのみの構成としてもよい。
【０１４８】
また、第１実施例における前記タイマー回路においては不正閉鎖による異常状態の自動解除までの時間を一例として１０分後と設定したが、前記異常状態の自動解除までの時間を２０分と設定するもしくは１０分を２０分に延長させるための手段を設けることが出来る。
また、前記タイマー回路を等価的に実現する手段としてサブ基板のＲＴＣを用いた構成とすることも出来る。
【０１４９】
また、前記鍵操作部５４においてレバー操作により前記鍵のロック機構５０の開施錠を実現する構成とすることも出来る。
【０１５０】
また、前記包囲部材は、前記解除スイッチ１１０に加え前記移動部材、前記位置検出センサーおよび前記復帰駆動手段等も包囲するように適用可能であり、本発明の効果を実現するにあたり有効的に適宜活用できるものである。
【０１５１】
上述の第１実施例においては、閉鎖動作に伴い一方の移動部材が他方の移動部材に対して相対的に移動する例について説明したが、本発明としてはそれに限定するものではなく、閉鎖動作に伴い第１および第２の移動部材が共に相対的に移動する実施形態を採用することも可能であり、この場合は２個の位置検出センサーによって両者の位置を検出するものである。
【０１５２】
また、上述の第２実施例において、第１実施例と同様に不正閉鎖による異常状態を判定した際に前記報知手段９０等により報知することに加え、一定条件が満たされるまでの間は遊技の開始を阻止する制御を加えることも出来る。
【０１５３】
上述の実施例では、図７に示されるように前記解除スイッチが前記開閉扉またはおよび遊技盤本体が閉鎖されている状態においても操作可能な構成としたが、本発明においては前記解除スイッチを前記開閉扉またはおよび遊技盤本体が開放されている状態において操作可能な構成とすることもできる。  なお、前記開閉扉またはおよび遊技盤本体が開放されている状態において前記解除スイッチが操作されると、一例として５秒間が経過した後に前記復帰駆動手段へ復帰駆動指令を出力する構成とすることが可能であり、従業員は前記解除スイッチを操作して５秒以内に前記開閉扉またはおよび遊技盤本体を閉鎖させる。
【０１５４】
また、上述の第２実施例において、異常状態を解除する方法として第１実施例で示した解除スイッチまたはおよび電源切換検出手段を用いることも出来る。
【０１５５】
ここで、第１実施例または第２実施例における報知の方法については一例としてパチンコ遊技機に備えられた報知手段９０によって報知する例について説明したが、本発明はこれに限定されるものでなくパチンコ遊技機では報知されることなく、ホールの集中管理室または島データ表示装置等によって報知、もしくはこれらの組み合わせによって報知されるものであってもよい。
【産業上の利用可能性】
【０１５６】
外枠および該外枠に対して開閉自在に配設された開閉扉および遊技盤本体を備えた遊技機において、前記開閉扉またはおよび遊技盤本体の閉鎖動作に連動して動く移動部材と、前記移動部材の位置を検出して定位置にあるのか、移動した位置にあるのかを検出する位置検出センサーと、前記位置検出センサーの出力に基づき前記開閉扉またはおよび遊技盤本体の閉鎖を判定する判定回路とを備えることにより、夜間における前記開閉扉またはおよび遊技盤本体の不正閉鎖を精確に検知するという用途にも適用できる。
【図面の簡単な説明】
【０１５７】
【図１】本発明の第１実施例のパチンコ遊技機において、遊技盤本体を開放した時の斜視図である。
【図２】本第１実施例のパチンコ遊技機において、遊技盤本体の開放前における移動部材の位置を示す部分拡大断面図である。
【図３】本第１実施例のパチンコ遊技機において、遊技盤本体の開放時における移動部材の位置を示す部分拡大断面図である。
【図４】本第１実施例のパチンコ遊技機において、遊技盤本体の開放後閉鎖された状態における移動部材の位置を示す部分拡大断面図である。
【図５】本第１実施例のパチンコ遊技機において、遊技盤本体の開閉後、復帰駆動手段により移動部材を図中右方位置に復帰させた状態を示す部分拡大断面図である。
【図６】本第１実施例のパチンコ遊技機において、鍵のロック機構、開閉扉の鍵のロック位置検出センサーにおける開錠状態および施錠状態を示す部分拡大背面図である。
【図７】本第１実施例のパチンコ遊技機において、開閉扉、扉開閉検知手段、包囲部材を示す部分拡大斜視図である。
【図８】本第１実施例のパチンコ遊技機において、開放および閉鎖の各状態の開閉扉、扉開閉検知手段を示す部分拡大平面図および部分拡大側面図である。
【図９】本第１実施例のパチンコ遊技機において、開閉扉の電子ロック機構、電子ロック機構のロック状態を検知する電子ロック検知手段を示す部分拡大斜視図である。
【図１０】本第１実施例のパチンコ遊技機において、開閉扉の電子ロック機構、電子ロック機構のロック状態を検知する電子ロック検知手段におけるロック状態およびロック解除状態を示す部分拡大背面図である。
【図１１】本第１実施例および変形例のパチンコ遊技機において、不正閉鎖を検知し該不正閉鎖の報知および遊技の開始阻止制御を行い、これら不正閉鎖による異常状態を解除スイッチにより解除するときの制御ブロック図である。
【図１２】本第１実施例の変形例のパチンコ遊技機において、不正閉鎖を検知し該不正閉鎖の報知および遊技の開始阻止制御を行い、これら不正閉鎖による異常状態を解除スイッチにより解除するときのフローチャート図である。
【図１３】本第１実施例の変形例のパチンコ遊技機において、不正閉鎖を検知し該不正閉鎖の報知および遊技の開始阻止制御を行い、これら不正閉鎖による異常状態を電源切換検出手段により解除するときの制御ブロック図である。
【図１４】本第１実施例の変形例のパチンコ遊技機において、不正閉鎖を検知し該不正閉鎖の報知および遊技の開始阻止制御を行い、これら不正閉鎖による異常状態を電源切換検出手段により解除するときの簡略回路図である。
【図１５】本第１実施例の変形例のパチンコ遊技機において、不正閉鎖を検知し該不正閉鎖の報知および遊技の開始阻止制御を行い、これら不正閉鎖による異常状態を電源切換検出手段により解除するときの出力信号のタイムチャート図である。
【図１６】本第１実施例の変形例のパチンコ遊技機において、不正閉鎖を検知し該不正閉鎖の報知および遊技の開始阻止制御を行い、これら不正閉鎖による異常状態を電源切換検出手段により解除するときのフローチャート図である。
【図１７】本第１実施例の変形例のパチンコ遊技機において、不正閉鎖を検知し該不正閉鎖の報知および遊技の開始阻止制御を行い、これら不正閉鎖による異常状態をタイマー回路を用いて解除する制御ブロック図である。
【図１８】本第１実施例の変形例のパチンコ遊技機において、不正閉鎖を検知し該不正閉鎖の報知および遊技の開始阻止制御を行い、これら不正閉鎖による異常状態をタイマー回路を用いて解除するフローチャート図である。
【図１９】本発明の第２実施例のパチンコ遊技機において、開閉扉を開放した時の斜視図である。
【図２０】本第２実施例のパチンコ遊技機において、開閉扉の開放前における移動部材の位置を示す部分拡大断面図である。
【図２１】本第２実施例のパチンコ遊技機において、開閉扉の開放時における移動部材の位置を示す部分拡大断面図である。
【図２２】本第２実施例のパチンコ遊技機において、開閉扉の開放後、復帰駆動手段により第３の移動部材を移動させた状態における移動部材の位置を示す部分拡大断面図である。
【図２３】本第２実施例のパチンコ遊技機において、開閉扉の開閉後における移動部材の位置を示す部分拡大断面図である。
【図２４】本第２実施例のパチンコ遊技機において、第１の移動部材の一方端の詳細を示す部分拡大上面図および部分拡大側面図である。
【図２５】従来の第１の遊技機において、ソレノイドにより移動させて下扉の閉動作を阻止する前記移動部材を示す部分断面図である。
【図２６】従来の第２の遊技機において、レールに移動可能に取り付けられ、扉が開放されると移動する扉開放センサを示す部分断面図である。
【符号の説明】
【０１５８】
２１１  第１の移動部材
２１２  第２の移動部材
２０３  復帰駆動手段
４  扉開閉検知手段
５  鍵のロック位置検出センサー
６  電子ロック機構
７  電子ロック機構のロック状態を検知する電子ロック検知手段
９  開閉扉
２００  遊技盤本体
１０１  枠体
【図１】
2010029330.tif 000003
【図２】
2010029330.tif 000004
【図３】
2010029330.tif 000005
【図４】
2010029330.tif 000006
【図５】
2010029330.tif 000007
【図６】
2010029330.tif 000008
【図７】
2010029330.tif 000009
【図８】
2010029330.tif 000010
【図９】
2010029330.tif 000011
【図１０】
2010029330.tif 000012
【図１１】
2010029330.tif 000013
【図１２】
2010029330.tif 000014
【図１３】
2010029330.tif 000015
【図１４】
2010029330.tif 000016
【図１５】
2010029330.tif 000017
【図１６】
2010029330.tif 000018
【図１７】
2010029330.tif 000019
【図１８】
2010029330.tif 000020
【図１９】
2010029330.tif 000021
【図２０】
2010029330.tif 000022
【図２１】
2010029330.tif 000023
【図２２】
2010029330.tif 000024
【図２３】
2010029330.tif 000025
【図２４】
2010029330.tif 000026
【図２５】
2010029330.tif 000027
【図２６】
2010029330.tif 000028